(57)【要約】少なくとも一房の髪を処理する為のデバイスであって、該一房の髪を受容するように意図される受容表面を有する、機械的応力を該髪に施与する為の少なくとも１つのデバイス（２０）と、ここで、該表面は、上記房に垂直な方向の幅Ｌが大きい；機械的応力適用デバイス（２０）及び処理されるべき髪の少なくとも一部を受容するように構成されたマイクロ波不透過チャンバーと；前記チャンバー内に配置されたマイクロ波放出アンテナ（３０）と、ここで、このアンテナは、少なくともＬ／２に等しい距離Ｄにわたって軸方向に延在する、を含む、前記処理デバイス。【選択図】図２
2020506011.tif 000002
【特許請求の範囲】
【請求項１】
少なくとも一房の髪を処理する為のデバイスであって、
該少なくとも一房の髪を受容するように意図される受容表面を有する、機械的応力を該髪に施与する為の少なくとも１つのデバイス（２０）と、ここで、該表面は、上記房に垂直な方向の幅Ｌが大きい、
該機械的応力適用デバイス（２０）及び処理されるべき髪の少なくとも一部を受容するように構成されたマイクロ波不透過チャンバー（４）と、
前記機械的応力適用デバイス（２０）内に配置された螺旋状のマイクロ波放出アンテナ（３０）と、ここで、前記マイクロ波の出力は１００〜２５０Ｗであり、このアンテナは、少なくともＬ／２に等しい距離Ｄにわたって軸方向に延在する、
を含む、前記処理デバイス。
【請求項２】
前記アンテナが、上記房に垂直な方向の、該一房の髪を受容するように意図される受容表面の前記幅Ｌの少なくとも８０％に等しい距離Ｄにわたって軸方向に延在する、請求項１に記載の処理デバイス。
【請求項３】
使用されるマイクロ波周波数が、厳密に２ＧＨｚ超且つ３ＧＨｚ未満である、請求項１又は２に記載の処理デバイス。
【請求項４】
前記アンテナが４〜５ｍｍの固定された螺旋ピッチを有し、該螺旋の半径が好ましくは一定であり、特には４〜１０ｍｍである、請求項３に記載の処理デバイス。
【請求項５】
前記アンテナの軸方向の延び（Ｄ）が、１５〜８０ｍｍ、より良くは６５〜７５ｍｍ、である、請求項３又は４に記載の処理デバイス。
【請求項６】
前記チャンバー（４）が、前記機械的応力適用デバイス（２０）及び処理されるべき髪の少なくとも一部を受容するように構成されたハウジング（６）を有し、前記マイクロ波放出アンテナ（３０）が前記チャンバー（４）内に配置されており、前記機械的応力適用デバイス（２０）を受容する前記ハウジング（６）が、前記機械的拘束適用デバイス（２０）の設置及び除去を可能にする開放位置と、前記チャンバーがマイクロ波不透過であり且つ前記アンテナ（３０）が前記機械的拘束適用デバイス（２０）に近付くところの閉鎖位置との間で、前記アンテナ（３０）に相対的に移動可能なドロワー（５０）によって少なくとも部分的に画定される、請求項１〜５のいずれか１項に記載の処理デバイス。
【請求項７】
前記アンテナ（３０）及び前記機械的拘束適用デバイス（２０）が、前記ドロワー（５０）の閉鎖位置において、前記アンテナが前記機械的拘束適用デバイス（２０）内に係合されるように配置構成されている、請求項６に記載の処理デバイス。
【請求項８】
前記機械的応力適用デバイス（２０）がカーラーであり、該デバイスが、前記アンテナ（３０）を保持するケーシング（４０）を保持し、前記ドロワー（５０）が、前記ケーシング（４０）の長手方向軸に沿って滑り、前記アンテナ（３０）の前記軸が、前記ドロワー（５０）の滑り軸に平行であり、前記ケーシング（４０）が、前記ドロワー（５０）の対応するスライド（５１）に係合される、アーク形状のラグ（４１）を含み、前記ハウジング（６）の内面が、伝導性コーティング（７）で覆われており、髪用の出口スリット（１９）が、前記ケーシング（４０）と前記ドロワー（５０）との間に形成されており、前記コーティングは、髪が存在しない状態では、静止状態になって前記スリット（１９）をふさぐように構成されており、該デバイスは、前記ケーシング（４０）の反対側の端部で前記ハウジング（６）を閉鎖する端板（５４）を有する、請求項６又は７に記載の処理デバイス。
【請求項９】
前記チャンバーが、前記機械的応力適用デバイス（２０）及び処理されるべき髪の少なくとも一部を受容するように構成されたハウジング（６）を有するケーシング（１０）によって、並びに前記ハウジングへのアクセスを与える開放位置と閉鎖位置との間で前記ケーシング（１０）に相対的に旋回するカバー（１１）によって、少なくとも部分的に画定されており、前記マイクロ波放出アンテナが前記ハウジング内に配置されており、前記ハウジングが、カバーが開けられたときに、前記ケーシングに相対的に軸方向運動によって前記機械的拘束適用デバイス（２０）の設置及び除去が可能になるように一端（５）で開放されており、並びに前記機械的拘束適用デバイス及び前記アンテナは、前記機械的拘束適用デバイスが前記ハウジング内の所定位置に置かれたときに前記アンテナが前記機械的拘束適用デバイス内に挿入されるように配置構成されている、請求項１〜５のいずれか１項に記載の処理デバイス。
【請求項１０】
前記チャンバーを出す為の、前記髪の為のスリット（１９）を含み、このスリットは、前記チャンバーが閉じられたときに前記マイクロ波不透過性を生成する為に前記髪にフィットする導電性コーティング（７）によって縁取りがされている、請求項１〜９のいずれか１項に記載の処理デバイス。
【請求項１１】
前記アンテナ（３０）の長さ（Ｄ）が、前記機械的応力適用デバイス（２０）の長さ（Ｎ）の少なくとも５０％、好ましくは少なくとも７０％、を表す、請求項１〜１０のいずれか１項に記載の処理デバイス。
【請求項１２】
髪を処理する為の、特には請求項１〜１１のいずれか１項に記載の処理デバイスを用いて髪を処理する為の、美容的方法であって、少なくとも下記工程：
・ａ）少なくとも一房の髪に、該少なくとも一房の髪を受容するように意図される受容表面を有する機械的応力適用デバイス（２０）を介して機械的応力を施与すること、ここで、該表面は、上記房に垂直な方向の幅Ｌが大きい、
・ｂ）機械的応力下でこのように配置された髪を、機械的応力適用デバイス内に配置されたマイクロ波放出アンテナ（３０）によってマイクロ波に曝露すること、ここで、このアンテナは、少なくともＬ／２に等しい距離Ｄにわたって軸方向に延在し、機械的応力適用デバイス及び処理されるべき該房の少なくとも一部は、マイクロ波不透過チャンバー（４）内で受容される、
を含む、上記方法。
【請求項１３】
前記機械的応力の適用がカーラーで実行され、前記アンテナ（３０）が螺旋状であり且つ前記カーラー内に配置される、請求項１２に記載の方法。
【発明の詳細な説明】
【技術分野】
【０００１】
本発明は、髪処理の方法及びデバイスに関する。
【背景技術】
【０００２】
髪型を長持ちさせる為の美容的処理は、化学製品を使用して主に行われる。
【０００３】
２つの技法、共にケラチン（シスチン）中に存在する−Ｓ−Ｓ−ジスルフィド結合の切断に基づく技法は、一般に、髪型の永続的な再整形を得る為に使用される。
【０００４】
第１の技法は、例えばチオグリコール酸タイプの還元剤を含む組成物を使用してジスルフィド結合を切断することにある、第１の工程を含む。この第１の還元工程は、一般に、８〜９のｐＨで行われる。
【０００５】
次いでこの第１の技法では、好ましくは髪を濯いだ後、定着剤として公知の酸化組成物を髪に施与させることによってジスルフィド結合を再構成することにある、第２の工程が行われる。髪は、還元組成物の施与前に、好適なデバイス、例えばカーラーによる応力下に配置されてもよく、又は真っ直ぐに伸ばされうる。酸化工程は、約３のｐＨで行われ得、新しいジスルフィド橋の形成を容易にして頭髪を所望の形状に保持できうる。
【０００６】
第２の技法では、水酸化物の系統に属する塩基を含む組成物を使用して、ランチオナイゼーションの工程が行われる。ランチオナイゼーション工程は、一般に、約１３の塩基性ｐＨで行われる。ランチオナイゼーションは、ジスルフィド橋からモノスルフィド橋への変換である。このタイプの処理は、主に、縮れ毛を自然に整形する為に使用される。
【０００７】
整形の耐久性の点で満足の行く性能を得る為に、当技術分野で公知の処理に使用される組成物は、比較的高い濃度の化学活性剤（例えば、還元剤又は水酸化物化合物）を含みうる。従って、チオグリコール酸は、ある組成物中で６％〜１１％の質量濃度で、水酸化ナトリウムは２％で使用されうる。
【０００８】
チオグリコール酸を含む生成物は、施与中に存在しうる、及び処理を行った後に髪に残り続ける可能性もある、不快な臭いを有する。
【０００９】
更に、上述の処理は、髪繊維の固有の性質の変化によって誘発される、髪の不可逆的な劣化をもたらしうる。
【００１０】
これらの処理は、正しく行われない場合、その比較的高い濃度の化学活性剤に起因して、頭皮も刺激しうる。
【００１１】
従って、化学試薬との接触時間を短縮する為に、及び／又は化学試薬の濃度を低下させる為に、これらの方法を活性化することが求められている。
【００１２】
従って、これらの方法を活性化する為に処理中に熱を供給することは、公知の慣習である。熱を提供する為の公知の技術は、美容的性能品質を改善するのを可能にしうるが、常に高濃度の化学活性剤を用い、従って上述の処理と同じ欠点を有する可能性がある。
【００１３】
文献  国際公開第２００２／０５１２８１号パンフレット、米国特許出願公開第２００６／００４２６４９号明細書、米国特許出願公開第２００４／０２５０８３０号明細書、国際公開第２００２／１００２１０号パンフレット、米国特許出願公開第２０００／６８０４３２号明細書、米国特許第６０７９４２２号明細書、米国特許第５９８８１８２号明細書、米国特許第５８１９７６３号明細書、米国特許第５７７３８０２号明細書、米国特許第５６７６８７１号明細書、特許第０９０７５１２５号明細書、特許第０９０５１８１３号明細書、豪国特許第９６６４４６７号明細書、米国特許第５４９４５９８号明細書、欧州特許第１９７８２４号明細書、米国特許第４７１０６０９号明細書、米国特許第４７４３７２６号明細書、米国特許第４９５２３６０号明細書、米国特許第５０３０８２０号明細書、及び米国特許第５２８６９４９号明細書は、物体、例えば家庭用電子レンジで加熱され次いでその乾燥及びヘアセットの為に使用されうるカーラーについて記述する。
【００１４】
米国特許第３９５８３４０号明細書は、マイクロ波放射線によって加熱された空気を使用して、ウィッグを急速乾燥する為の方法について記述する。
【００１５】
スイス特許第５４１３０４号明細書は、実質的に電磁気的に閉じられた共鳴器を含み、該共鳴器内に、房支持表面及びカップリング構成要素又はアダプターを封入する、髪処理デバイスについて記述する。共鳴器は、カップリング構成要素に接続された伝送線によって高周波数交流の発生器に接続され、該カップリング構成要素は、共鳴器の特性を発生器及び伝送線の特性に一致させる。
【００１６】
仏国特許発明第２１１８９４５号明細書は、共鳴器を形成する、実質的に電磁気的に閉じられたエンベロープと、上記共鳴器内で散逸される高周波数エネルギーを生成する為の手段とを含む、髪処理デバイスについて開示する。電磁的に閉じられたエンベロープ内に、生成された高周波数電磁エネルギーを導入する為の電気コイルは、絶縁材料で作製されたコアによって保持され、処理される髪の房がそのコアの周りに巻かれる。共鳴器は、その中心にカップリング要素を含みうる。
【００１７】
米国特許出願公開第２００７／００５６９６０号明細書は、マイクロ波を使用して、濡れた髪の房をカールし、真っ直ぐに伸ばし、乾燥する為の、整形ツールについて記述する。該ツールは、マグネトロンがその中に配置され且つ髪の房がその周りに巻かれているところのチャンバーを含む。変形例として、該マグネトロンは、該チャンバーの外側に配置され且つそこに、該チャンバー内に延在する導波管によって接続されている。
【００１８】
独国特許発明第３１４８５３８号明細書は、その周りに髪の房が巻かれている、壁で保護された円筒状ツールについて記述する。房は、円筒と壁との間の空間に拡散されるマイクロ波を使用して、乾燥されセットされる。
【００１９】
仏国特許出願公開第２１７８０４９号明細書は、様々な材料に電磁エネルギーを放出する為のデバイスを開示する。
【００２０】
更に、電磁放射線を使用して髪を加熱し乾燥する為の方法は、仏国特許出願公開第２１１４５４０号明細書及び仏国特許出願公開第２１１８９４５号明細書から公知である。
【００２１】
仏国特許出願公開第２９５９９１７号明細書は、マイクロ波で髪を処理する為の方法を記載する。
【発明の概要】
【発明が解決しようとする課題】
【００２２】
髪を永続的に再整形する為の、新規な方法及びデバイスが求められている。改善された持続整形性能を得ると同時に、化学製品の使用を最小限に抑え又は更に無くす為の方法を提供することに、特に関心が持たれている。
【００２３】
本発明は、この要求を満たすことに向けられている。
【課題を解決するための手段】
【００２４】
第１の観点に従うと、本発明は、髪を処理する為の美容的方法であって、少なくとも下記工程：
・ａ）少なくとも一房の髪を受容するように意図される受容表面を有する機械的応力適用デバイスを介して機械的応力を該髪に施与する工程、ここで、該表面は、上記房に垂直な方向の幅Ｌが大きい、
・ｂ）機械的応力下でこのように配置された髪を、機械的応力適用デバイス内に配置されたマイクロ波放出アンテナによってマイクロ波に曝露する工程、ここで、このアンテナは、少なくともＬ／２に等しい距離Ｄにわたって軸方向に延在し、機械的応力適用デバイス及び処理されるべき該房の少なくとも一部は、マイクロ波不透過チャンバー内で受容される、
にある工程を含む、上記方法に関する。
【００２５】
本発明は、公知の処理よりも頭皮及び髪をそれほど痛めない、長期継続髪整形処理を可能にしうる。
【００２６】
特に、マイクロ波の存在における髪への機械的応力の適用は、アルカリ金属又はアルカリ土類金属水酸化物が実際に存在しない状態で、長期継続し且つ改善された髪型の整形を得ることを可能にする。
【００２７】
比較的長いアンテナでのマイクロ波の放出は、波の及び対応する熱のより均一な分布を得ることを容易にする。好ましくは、該アンテナは、Ｌの少なくとも６０％に等しい、より良くは７０％、更に良くは８０％、の距離Ｄにわたって軸方向に延在する。該アンテナの軸方向の延びは、好ましくは、その自由端、即ち何物にも接続されていない自由端と、該自由端とは反対外のその接続端との間で測定され、該アンテナの該接続端は、例えば導波管を介してＲＦ発生器に接続されている。
【００２８】
表現「髪に適用される機械的応力」は、上記髪の長さの少なくとも一部に加えられた機械的応力を意味すると理解されるべきである。考察中の実施態様とは無関係に、工程ａ）で処理された髪は、１以上の機械的拘束に供され得る。１以上の機械的拘束は、曲げ、真っ直ぐに伸ばすこと、圧縮、捻り、及び／又は引張り拘束から選択されうる。適用される拘束は、髪をカールすることを意図されてもよく、又は反対に、髪を真っ直ぐに伸ばすことを意図されうる。適用される拘束はまた、髪をその長さの一部分にわたってカールすること、及びその長さの別の部分にわたって真っ直ぐに伸ばすことを意図されうる。
【００２９】
マイクロ波
語「マイクロ波」は、５００ＭＨｚ〜３００ＧＨｚの周波数を持つ電磁放射線を意味すると理解されるべきである。
【００３０】
工程ｂ）中のマイクロ波周波数は、好ましくは１ＧＨｚ〜１０ＧＨｚであり、更に良くは２〜３ＧＨｚ及び、特に厳密に２ＧＨｚ超且つ３ＧＨｚ未満であり、例えば約２．４５ＧＨｚである。
【００３１】
工程ｂ）中に使用されるマイクロ波の出力は、５００Ｗよりも少なく又は５００Ｗに等しくてもよく、好ましくは３０〜３００Ｗであり、更に良くは１００〜２５０Ｗであり、更になお良くは１００〜２００Ｗ又は１００〜１７５Ｗである。１００Ｗを凌ぐ出力は、限られた期間でより効率的に髪を処理する利点を有する。
【００３２】
マイクロ波は、機械的応力適用デバイス若しくはマイクロ波不透過チャンバーの内部で発生され得、又はマイクロ波発生器、例えばソリッドステート発生器、例えばマグネトロン、によって、外側で発生されうる。外部マイクロ波発生器は、特に可撓性導波管を用いた、本発明に従う１以上のデバイスを供給することができる。
【００３３】
好ましくは、該発生器はチャンバーの外側にある。
【００３４】
この場合、該発生器は、機械的応力適用デバイスにそれぞれが連結されている複数のアンテナに接続されることができる。
【００３５】
各アンテナは、該発生器に対応する高周波数段に接続されることができる。
【００３６】
変形例において、幾つかのアンテナが、該発生器の同一の高周波数段に接続されることができる。
【００３７】
別の変形例において、該発生器は、チャンバー内に、特に機械的応力適用デバイス内に、配置される。
【００３８】
本発明の１つの好ましい実施態様に従うと、マイクロ波放出は、非直線的な、好ましくは螺旋状の、アンテナによって実施される。
【００３９】
該アンテナは、ループの任意の保持又はループを支持する為の棒を必要としなくなるように、十分に剛性のワイヤから、例えば直径が１〜３ｍｍのワイヤから形成され得る。１つの変形例において、該アンテナは、特に螺旋状である、支持構造上に配置された可撓成ワイヤ又は伝導性部分を含む。この支持構造は、任意の誘電材料で作製され得、好ましくはＰＴＦＥ若しくはガラスで作製されうる。
【００４０】
該アンテナは、螺旋状である場合、好ましくは固定された螺旋ピッチ、例えば４〜５ｍｍ、を有する。該螺旋の半径は、好ましくは一定であり、例えば４〜１０ｍｍである。該アンテナの損傷は、例えば８〜１０ｍｍである。
【００４１】
該アンテナの軸方向の延びは、例えば５０ｍｍ〜８０ｍｍであり、更に良くは６５ｍｍ〜７５ｍｍである。
【００４２】
該アンテナは、特に一端が閉鎖されている管内に配置され得る。この管は、ＰＴＦＥで又は別の誘電材料で作製されうる。
【００４３】
アンテナはまた、好ましくは可撓性の誘電材料中に、特にシリコーン中に埋め込まれてもよい。
【００４４】
螺旋状アンテナ形状は、生産し易い点が特に有利であり、アンテナを、その機械的応力適用デバイスへの挿入に適した比較的小さい直径で保持することを許し、比較的均一なマイクロ波分布を得ることが可能にする。
【００４５】
上記工程ａ）中に、マイクロ波放射線は、既に存在していてもよく又は存在していなくてもよい。言い換えれば、工程ａ）及びｂ）は、同時に又は順次行いうる。
【００４６】
機械的応力適用
施与される機械的応力は、他の機械的動作の間での、曲げ、引張り、捻り、及び／又は圧縮でありうる。
【００４７】
好ましくは、機械的応力適用デバイスは、カーラーである。語「カーラー」は、定義される直径に従って、デバイスの長手方向軸の周りに髪を巻く為のデバイスを示し、従って、直径に依存する機械的応力を生み出す。機械的応力適用デバイスがカーラーであるとき、アンテナを螺旋状にすることが最も特別に有利である。
【００４８】
アンテナの軸方向の寸法は、特にそれがカーラータイプのものである場合、機械的応力適用デバイスの長さＮの少なくとも５０％、好ましくは少なくとも７０％、である。
【００４９】
処理デバイスは、幾つかの機械的応力適用デバイスを使用するのを可能にするように構成されうる。これらの適用デバイスは、髪をカールするのに、又は逆にそれを真っ直ぐに伸ばすのに、異なる拘束をかけることができる。機械的応力適用デバイスは、使用者によって交換可能にされることができる。
【００５０】
機械的応力適用は、マイクロ波に曝露されている間に、処理された髪を平らに配置するよう必要に応じて構成されうる。
【００５１】
処理デバイスは、例えば電気接触又は１以上のスイッチを用いて、必要に応じて使用される拘束適用デバイスを、自動的に認識するように配置構成されうる。
【００５２】
必要に応じて、機械的応力適用デバイス及びアンテナは、チャンバーに導入されるユニットアセンブリを形成する。特に、アンテナを上記デバイスに関して可能な最良の方法で配置構成する為に、各機械的拘束適用デバイスに特異的なアンテナを有することが可能である。
【００５３】
機械的拘束適用デバイスは、カーラーで構成される場合、２つの環状部分を接続する幾つかの可撓性分岐を含むことができる。該分岐は、髪を受容する為の表面を画定する。この表面は、歯の基部が、対応する環状部分に接続される該歯によって、半径方向に範囲を定めることができる。ブロックのセンタリングは、環状部分の上に生成することができる。これらのブロックは、必要に応じて、髪を保持する為に弾性バンドを取着する働きをすることもできる。
【００５４】
機械的拘束適用デバイスは、ＰＴＦＥで又はその他の誘電材料で、特に熱可塑性材で、作製することができる。
【００５５】
溶媒
好ましくは、工程ｂ）でのマイクロ波への曝露は、髪に接触させた溶媒の存在下で実施される。
【００５６】
該溶媒は好ましくは、処理中に蒸気の形態である。
【００５７】
該溶媒は、マイクロ波の放出前に、処理された髪に接触して存在する化合物であることができる。
【００５８】
好ましくは、該処理された髪は、マイクロ波の作用全体を通して、決して全体が乾燥しない。言い換えれば、該髪は好ましくは、上記曝露中に溶媒が常に含浸されたままである。
【００５９】
該髪への溶媒の含浸を容易にする為に、溶媒は、機械的応力を施与する前に髪に噴霧されることができる。
【００６０】
好ましくは、該処理は、マイクロ波への曝露を通じて髪を完全に乾燥することなしに実施される。表現「髪を完全に乾燥することなしに」は、工程ｂ）の後に髪が濡れた感じであることを示す。従って、髪は、該髪に接触した状態で工程ｂ）の前に存在する液体化合物の重量の少なくとも１％、特に少なくとも２％、又は更に５％を保存し得、これらの液体化合物は、処理前に髪の自然な湿度にまで添加される。
【００６１】
マイクロ波不透過チャンバー
該チャンバーは、少なくとも工程ｂ）中、処理される髪と、機械的応力を施与する為のデバイスとを備えている。
【００６２】
語「髪を含有する」は、髪をその長さ全体で又は部分で且つ所与の幅にわたって含有することを意味すると理解されるべきである。
【００６３】
該チャンバーは、例えば５ｃｍよりも長い又は５ｃｍに等しい長さにわたって髪を覆うことができる。従って、髪の少なくとも５ｃｍの長さは、該チャンバー内で処理されることができる。
【００６４】
該チャンバーは、マイクロ波の放出中は処理される髪に相対的に不動であってもよく、又は髪に相対的に移動可能であって、より長い髪を処理することが可能でありうる。該チャンバーは、蒸気形態にある上述の溶媒を外部環境に放出しないように又はその少量のみを放出するように、例えば溶媒のリサイクルを用いて構成されてもよく、該リサイクルは、例えば蒸気又は液体形態で、溶媒の凝集後に行われるものである。
【００６５】
該チャンバーは、蒸気形態の溶媒を吸収するように構成された材料を含みうる。該チャンバーは、溶媒が表面で凝縮される低温壁、及び／又は蒸気形態の溶媒を吸い上げるループを含みうる。
【００６６】
このように、本発明に従う方法は、工程ｂ）の最中及び／又は後に、例えば蒸気及び／又は液体形態にある及び／又は材料に吸収された溶媒を、再収集する工程を含みうる。
【００６７】
該チャンバーは、例えば弾性変形可能な少なくとも１つの導電性材料の封止材を含んでいてもよく、髪を該チャンバーから離す間に工程ｂ）中で使用されるマイクロ波を遮断するのを可能にする。封止材は、導電性粒子が充填されたフォーム、導電性の剛毛から形成されたブラシ、又は金属歯を含む櫛を含みうる。
【００６８】
拘束適用デバイスを受容するハウジングを、表面を経て髪の出口スリット内に至るように配置される伝導性フォームで、被覆することが可能である。これは、スリットでのフォームの変形可能性により、閉鎖の良好な封止を得ることを可能にする。
【００６９】
該チャンバーがフードの形をとる場合、該チャンバーは、処理された髪が内部を通過する電磁遮蔽を含みうる。そのような遮蔽は、放出されるマイクロ波から使用者の頭皮を保護しながら、使用者の髪を処理することを可能にする。
【００７０】
電磁遮蔽は、例えば、格子又は金属格子によって形成される。
【００７１】
様々な特性
該方法を行う為の処理デバイスは、例えば該チャンバーからのマイクロ波の漏出及び／又は該チャンバー内の過剰な温度を使用者に警告する為に、可聴式及び／又は発光式警告システムを含みうる。
【００７２】
処理デバイスは、有利には、該チャンバーが閉鎖されていない間、及び／又は異常動作の事象、例えばマイクロ波漏洩、過剰な温度、及び／又は溶媒の不在の事象において、マイクロ波の放出を防止する為の安全性システムを含む。
【００７３】
処理デバイスは、髪に損傷を与えがちな処理の持続時間に達しないように、マイクロ波の放出の持続時間を制御するよう構成されうる。
【００７４】
本発明に従う方法は、工程ｂ）の前に、該チャンバーの閉鎖を検出する工程を含みうる。例えば、該チャンバーが閉鎖しているとき、接触器が動作する。
【００７５】
マイクロ波の放出は、該チャンバーの閉鎖の検出に合わせて調整されてもよい。マイクロ波が送られた後、マイクロ波放出の継続は、特に該チャンバーの外に配置されたマイクロ波感受性センサーを使用して、マイクロ波漏洩の検出がない状態で調整することができる。
【００７６】
本発明に従う方法は、工程ｂ）の前に、処理されることが意図される髪の設置を検出する工程を含みうる。この検出工程は、例えば光学センサー及び／又は機械式フィーラーによって行われてもよい。検出は、必要に応じて、間接的に、機械的応力適用デバイスの設置を検出することによって実施されてもよい。
【００７７】
本発明に従う方法は、例えば工程ｂ）中に、処理された髪が供される温度を測定する工程を含みうる。この温度測定工程は、髪に接触していない温度計によって行われてもよい。
【００７８】
処理デバイスは、同じ手持ち式部品内に、マイクロ波発生器及び機械的応力適用デバイスを含みうる。語「手持ち式部品」は、髪の処理中に使用者が片手で操作する部品を示す。
【００７９】
発生器から該チャンバーにマイクロ波を伝達するのに使用され得る伝達手段として、導波管、例えば長さ１０ｍ未満、好ましくは長さ５ｍ未満、外径５ｃｍ未満、好ましくは２ｃｍ未満、の可撓性同軸ケーブルが挙げられる。
【００８０】
溶媒は、例えば、沸点が２００℃よりも低い液体である。好ましくは、この溶媒は水を含む。更により優先的には、この溶媒は水である。
【００８１】
該溶媒は、蒸気の形である場合、工程ｂ）中に、髪の領域に及び／又は髪に接触して、８０〜２００℃、好ましくは１００〜１５０℃、例えば１２０〜１５０℃、の温度を有しうる。
【００８２】
工程ｂ）中に、処理された髪が供される圧力は、１０５〜１０６Ｐａ（１〜１０ｂａｒ）、好ましくは１０５〜５×１０５Ｐａ（１〜５ｂａｒ）、でありうる。
【００８３】
処理デバイスは、髪の特性、例えば色、機械的強度、表面状態又は湿度に感受性のあるセンサーを含んでいてもよく、処理デバイスは、そのように検出された特性の関数として、処理の少なくとも１つのパラメーター、例えばマイクロ波エネルギー、溶媒温度、処理の持続時間、及び／又は発揮される機械的拘束を、制御しうる。
【００８４】
１又は複数の髪組成物の施与
本発明に従う方法は、更に、髪に少なくとも１種の髪処理組成物を施与することにある、少なくとも１つの工程ｃ）を含みうる。
【００８５】
表現「髪処理組成物」は、髪の化学的性質又はその整形を修正することが可能な組成物を意味することが意図される。
【００８６】
問題となっている美容的性質は、もつれを解くこと、軟らかさ、及び艶である。
【００８７】
髪の整形は、長期間続く又は一時的な髪の整形とすることができる。
【００８８】
表現「一時的な髪整形組成物」は、髪に一旦施与されると、ケラチン中に存在するジスルフィド結合を切断することなく整形することを許す組成物であることが理解されるべきである。
【００８９】
一時的な髪整形は、好ましくは、その後、１以上の固定ポリマーを含む組成物の本発明での使用を経て得られ、該ポリマーの性質は、陰イオン性、非イオン性、陽イオン性、又は両性でありうるものである。
【００９０】
表現「長期継続髪整形組成物」は、髪に一旦施与されると、ケラチン中に存在するジスルフィド結合を切断させる組成物であることが理解されるべきである。
【００９１】
本発明の長期継続髪整形組成物は、好ましくは還元剤又は水酸化物化合物から選択されるジスルフィド結合を破壊する為の１以上の薬剤を含む。
【００９２】
好ましい還元剤は、チオールである。
【００９３】
好ましくは、工程ｃ）の組成物は、長期継続髪整形組成物である。
【００９４】
工程ｃ）は、工程ａ）の前及び／又は工程ｂ）の後に行うことができる。
【００９５】
工程ａ）及びｂ）は、髪整形組成物の作用を強化することができ、例えば活性剤の含量を低減させ、又は等しい含量で、その有効性を増大させ若しくは上記組成物の放置時間を低減させることを可能にする。
【００９６】
本発明に従う方法は、更に、少なくとも１種の固定組成物を髪に施与することにある少なくとも１つの工程ｄ）を、工程ｃ）の後に含みうる。
【００９７】
表現「固定組成物」は、髪に一旦施与されると、ケラチン中に存在するジスルフィド結合を再構成するのを可能にし、従って髪型を所望の形状に維持することに関与する、組成物であると理解されるべきである。固定組成物は、髪整形組成物の動作によって得られた形状の永続性を改善することも可能にする。
【００９８】
この工程ｄ）は、工程ａ）の前及び／又は工程ｂ）の後に、一方でそれと同時に工程ｃ）の後でそのまま行うことができる。
【００９９】
工程ｂ）の持続時間は、例えば、所望の整形性能品質及び髪の性質に従い様々でありうる。
【０１００】
考えられる実現例とは無関係に、工程ｂ）の持続時間は１秒〜３０分、好ましくは１秒〜１０分でありうる。
【０１０１】
考察中の実施態様とは無関係に、工程ｂ）は、例えば０〜１０回、優先的には０〜５回繰り返されてもよい。
【０１０２】
髪整形又は固定組成物は、髪がチャンバー内に存在している間に、例えば好適な施与システムを用いて施与されてもよい。施与システムは、例えば、チャンバー内又はその外側に、例えば髪がチャンバーから離れ又はチャンバーに進入する経路上に配置構成された、パッド、櫛、１以上の吐出オリフィス又は噴霧ノズルを含む。
【０１０３】
髪整形組成物及び／又は固定組成物は、必要に応じて、マイクロ波放射線に供されうる。
【０１０４】
長期継続髪整形組成物
還元組成物
還元剤
髪整形組成物は、１以上の還元剤を含む還元組成物でありうる。
【０１０５】
還元剤は、例えば：
−    次の式（１）のチオグリコール酸：  ＨＳ−ＣＨ２−ＣＯＯＨ  （１）、
−    下記の式（２）のチオ乳酸：
【０１０６】
【化１】
2020506011.tif 000003
【０１０７】
−    次の式（３）の３−メルカプトプロピオン酸：  ＨＳ−ＣＨ２−ＣＨ２−ＣＯＯＨ  （３）、
−    次の式（４）のシステアミン：  ＨＳ−ＣＨ２−ＣＨ２−ＮＨ２  （４）、
−    次の式（５）のシステイン：  ＨＳ−ＣＨ２−ＣＨ（ＮＨ２）−ＣＯ２Ｈ  （５）
−  並びに、それらの塩、及びそれらのエステル、
−    ホスフィン、スルファイト、ボロヒドライド
から選択されることができる。
【０１０８】
上記の生成物（１）〜（４）の化粧料的に許容される塩の中で、例えば、アンモニア塩、第一級、第二級、又は第三級アミン塩、及びアルカリ土類金属塩が挙げられうる。第一級、第二級、又は第三級アミン塩として、それぞれ、モノエタノールアミン、ジイソプロパノールアミン、及びトリエタノールアミンが挙げられうる。
【０１０９】
上記の化合物（１）〜（４）のエステルの中で、モノチオールグリコール酸グリセリル、エチレングリコールモノチオグリコレート、仏国特許出願公開第２６７９４４８号明細書に記載されているチオグリコール酸２−ヒドロキシプロピルとチオグリコール酸ヒドロキシ−２−メチル−１−エチルとの共沸混合物、モノチオ乳酸グリセリル、エチレングリコールモノチオラクテート、３−メルカプトプロピオン酸グリセリル、及びエチレングリコール３−メルカプトプロピオネートが挙げられうる。
【０１１０】
１以上の化学還元剤は、例えば、還元組成物の全重量に対して０．０１％〜２０％、好ましくは０．１％〜１０％、更により良くは０．３％、及び３重量％、の含量で存在しうる。
【０１１１】
還元組成物中に存在する添加剤
還元組成物は、１以上の添加剤も含み得る。
【０１１２】
添加剤は、還元組成物中に、単独で又は混合物として使用されうる。
【０１１３】
還元組成物は、少なくとも１種の界面活性剤、例えば非イオン性、陰イオン性、陽イオン性、又は両性界面活性剤を含んでいてもよく、とりわけ、硫酸アルキル、硫酸アルキルベンゼン、アルキルエーテルスルフェート、アルキルスルホネート、第四級アンモニウム塩、アルキルベタイン、オキシエチレン化アルキルフェノール、脂肪酸アルカノールアミン、オキシエチレン化脂肪酸エステル、並びにヒドロキシプロピルエーテル及びアルキルポリグリコシド型のその他の非イオン性界面活性剤も挙げてもよい。
【０１１４】
１以上の界面活性剤は、例えば、生成組成物の全重量に対して３０重量％未満、好ましくは０．５％〜１０重量％の含量で存在しうる。
【０１１５】
髪の美容的性質を改善する、又はそうでない場合にはその劣化を低減させ及び／又は防止する目的で、還元組成物は、陽イオン性、陰イオン性、非イオン性、又は両性の性質を持つ少なくとも１種の処理剤を含みうる。
【０１１６】
特に好ましい処理剤の中で、仏国特許出願公開第２５９８６１３号明細書及び仏国特許出願公開第２４７０５９６号明細書に記載されているものが挙げられうる。
【０１１７】
処理剤として、揮発性又は不揮発性、直鎖状又は環状シリコーン、及びこれらの混合物、ポリジメチルシロキサン、第四級化ポリオルガノシロキサン、例えば仏国特許出願公開第２５３５７３０号明細書に記載されているもの、アルコキシカルボニルアルキル基で修飾されたアミノアルキル基を含むポリオルガノシロキサン、例えば米国特許第４７４９７３２号明細書に記載されているもの、ポリオルガノシロキサン、例えば、ジメチコンコポリオール型のポリジメチルシロキサン−ポリオキシアルキルコポリマー、ステアロイル末端基を含むポリジメチルシロキサン（ステアロキシジメチコン）、ポリジメチルシロキサン−酢酸ジアルキルアンモニウムコポリマー又はポリジメチルシロキサン−ポリアルキルベタインコポリマーであって、英国特許出願公開第２１９７３５２号明細書に記載されているもの、メルカプト又はメルカプトアルキル基によりオルガノ修飾されたポリシロキサン、例えば仏国特許発明第１５３０３６９号明細書及び欧州特許出願公開第２９５７８０号明細書に記載されているもの、及びシラン、例えばステアロキシトリメチルシランも利用しうる。
【０１１８】
還元組成物は、その他の処理剤、例えば陽イオン性ポリマー、例えば仏国特許発明第２４７２３８２号明細書及び仏国特許発明第２４９５９３１号明細書の組成物で使用されるもの、又はそうでない場合には、イオネン型の陽イオン性ポリマー、例えばルクセンブルク特許第８３７０３号の組成物に使用されるものも含みうる。塩基性アミノ酸、例えばリジン若しくはアルギニン、又は酸性アミノ酸、例えばグルタミン酸若しくはアスパラギン酸、これらのペプチド及び誘導体、タンパク質加水分解物、蝋、膨潤及び浸透剤、又は還元剤効率を高めるのを可能にする薬剤、例えばＳｉＯ２／ＰＤＭＳ（ポリジメチルシロキサン）混合物、ジメチルイソソルビトール、尿素、及びこれらの誘導体、ピロリドン、Ｎ−アルキルピロリドン、溶媒、例えばアルキレングリコールアルキルエーテル若しくはジアルキレングリコールアルキルエーテル、例えばプロピレングリコールモノメチルエーテル、ジプロピレングリコールモノメチルエーテル、エチレングリコールモノエチルエーテル、及びジエチレングリコールモノエチルエーテル等、Ｃ３〜Ｃ６アルカンジオール、例えば１，２−プロパンジオール及び１，２−ブタンジオール等、２−イミダゾリジノン、及びその他の化合物、例えば脂肪アルコール、ラノリン誘導体、活性成分、例えばパントテン酸、髪の損失を低減させる薬剤、フケ防止剤、増粘剤、懸濁剤、金属イオン封鎖剤、乳白剤、染料、サンスクリーン、並びに香料及び保存剤も含みうる。
【０１１９】
還元組成物のｐＨは、好ましくは６〜１１、更により良くは７〜１０である。
【０１２０】
還元組成物は、ｐＨを調節する為に、少なくとも１種の塩基性化剤を含みうる。
【０１２１】
好ましくは、本発明に従う組成物中に使用される塩基性化剤は、それが存在する１以上の組成物のｐＨを増大させるのを可能にすることができる薬剤である。
【０１２２】
塩基性化剤は、ブレンステッド、ローリー、又はルイス塩基でありうる。
【０１２３】
塩基性化剤は、無機でも有機でもよい。
【０１２４】
塩基性化剤は、例えば：
ａ）水性アンモニア、
ｂ）アルカノールアミン、例えばモノエタノールアミン、ジエタノールアミン及びトリエタノールアミン、またそれらの誘導体、
ｃ）オキシエチレン化及び／又はオキシプロピレン化エチレンジアミン、
ｄ）アルカリ金属シリケート、例えばメタケイ酸ナトリウム、
ｅ）アミノ酸、好ましくは塩基性アミノ酸、例えばアルギニン、リジン、オルニチン、シトルリン及びヒスチジン、
ｆ）特に第一球、第二級、若しくは第三級アミン（アンモニウム）の、又はアルカリ金属若しくはアルカリ土類金属の、（ビ）カーボネート、並びに
ｇ）下記の式（ＩＩ）の化合物：
【０１２５】
【化２】
2020506011.tif 000004
【０１２６】
ここで、Ｗは、ヒドロキシル基又はＣ１〜Ｃ４アルキル基で任意的に置換されていてもよいプロピレン基である。Ｒａ、Ｒｂ、Ｒｃ、及びＲｄ基は、同一であり又は異なっており、それは水素原子又はＣ１〜Ｃ４アルキル又はＣ１〜Ｃ４ヒドロキシアルキル基であることができる、
から選択されることができる。
【０１２７】
好ましい塩基性化剤は、水性アンモニア及びモノエタノールアミンでありうる。
【０１２８】
１以上の塩基性化剤は、例えば上記で定義された通り、還元組成物の全重量に対して、好ましくは０．００１％〜１０％、例えば０．００５％〜８重量％、の含量で存在しうる。この濃度は、特に、還元組成物の所望のｐＨに依存することができる。
【０１２９】
還元組成物を施与する為の条件
１つの好ましい実現例において、工程ａ）の前及び／又は工程ｂ）の後に施与される場合、還元組成物は、例えば１〜５０分、好ましくは１〜３０分、の期間にわたり作用させたままにしうる。
【０１３０】
工程ａ）の前に施与させる場合、温度は、マイクロ波の適用中に上昇することになる。更に還元組成物は好ましくは、濡れて且つきれいな髪繊維に施与される。
【０１３１】
水酸化物化合物を含む組成物。
長期継続髪整形組成物は、１以上の水酸化物化合物を含みうる。
【０１３２】
水酸化物化合物
語「水酸化物化合物」は、水酸化物イオンを放出することが可能な化合物と理解されるべきである。ラントナイゼーションプロセスで通常使用される全ての水酸化物化合物は、本発明の文脈において、髪整形組成物中で使用されることができる。
【０１３３】
少なくとも１種の水酸化物化合物は好ましくは、アルカリ金属水酸化物、アルカリ土類金属水酸化物、遷移金属水酸化物、ランタニド金属水酸化物、アクチニド金属水酸化物、第ＩＩＩ族金属水酸化物、第ＩＶ族金属水酸化物、第Ｖ族金属水酸化物、第ＶＩ族金属水酸化物、有機水酸化物、及び少なくとも１種の部分加水分解性水酸化物構成要素を含む化合物から選択されることができる。
【０１３４】
本発明の文脈において使用されることができる水酸化物化合物として、例えば、水酸化ナトリウム、水酸化グアニジニウム、水酸化リチウム、水酸化カルシウム、水酸化バリウム、水酸化マグネシウム、水酸化アルミニウム、水酸化銅、水酸化ストロンチウム、水酸化モリブデン、水酸化マンガン、水酸化亜鉛、及び水酸化コバルトが挙げられうる。
【０１３５】
好ましい水酸化物化合物は、水酸化ナトリウム及び水酸化グアニジニウムである。好ましくは、これらの濃度は、該組成物のｐＨが１２〜１４であるような濃度である。
【０１３６】
１以上の水酸化物化合物は、髪整形組成物中に、０．２〜１Ｍ、好ましくは０．４〜０．６Ｍ、の濃度で存在しうる。
【０１３７】
乳化剤
水酸化物化合物を含む髪整形組成物は、少なくとも部分的にエマルジョンの、好ましくは水中油又は油中水エマルジョン、の形態でありうる。
【０１３８】
後者の場合、少なくとも１種の非イオン性、陰イオン性、陽イオン性、両性乳化剤を含みうる。
【０１３９】
乳化剤は、界面活性剤であり、得られるエマルジョンに従い選択され、例えば油中水（Ｗ／Ｏ）又は水中油（Ｏ／Ｗ）エマルジョンである。
【０１４０】
例えば上述のようなエマルジョンを含む髪整形組成物をうることが求められる場合：
両性乳化剤、例えばＮ−アシルアミノ酸、例えばＮ−アルキルアミノアセテート及びココアンホ二酢酸二ナトリウム、及びアミンオキシド、例えばステアラミンオキシド、
陰イオン性乳化剤、例えばアシルグルタメート、例えば「二ナトリウム水素化牛脂グルタメート」（味の素社により販売されるＡｍｉｓｏｆｔ  ＨＳ−２１（登録商標）；カルボン酸及びその塩、例えばステアリン酸ナトリウム；リン酸エステル及びその塩、例えば「ＤＥＡオレス−１０ホスフェート」；スルホスクシネート、例えば「二ナトリウムＰＥＧ−５シトレートラウリルスルホスクシネート」及び「二ナトリウムリシノールアミドＭＥＡスルホスクシネート」、
陽イオン性乳化剤、例えばアルキルイミダゾリジニウム、例えばイソステアリルエチルイミドニウムエトスルフェート；アンモニウム塩、例えばＮ，Ｎ，Ｎ−トリメチル−１−ドコサナミニウム塩化物（塩化ベヘントリモニウム）、及び
非イオン性乳化剤、例えば糖エステル及びエーテル、例えばステアリン酸スクロース、ヤシ脂肪酸スクロース、並びにステアリン酸ソルビタンとヤシ脂肪酸スクロースとの混合物であって、ＩＣＩ社によりＡｒｌａｔｏｎｅ  ２１２１（登録商標）という名称で販売されているもの；ポリオールエステル、例えばグリセロール又はソルビトールエステル、例えばステアリン酸グリセリル、ステアリン酸ポリグリセリル−２、ステアリン酸ソルビタン；グリセロールエーテル；オキシエチレン化及び／又はオキシプロピレン化エーテル、例えば、２５個のオキシエチレン化基及び２５個のオキシプロピレン化基を含有するラウリルアルコールのオキシエチレン化、オキシプロピレン化エーテル（ＣＴＦＡ名「ＰＰＧ−２５ラウレス−２５」）、及び７個のオキシエチレン化基を含むＣ１２〜Ｃ１５脂肪アルコールの混合物のオキシレチレン化エーテル（ＣＴＦＡ名「Ｃ１２〜Ｃ１５パレス−７」）、エチレングリコールのポリマー、例えばＰＥＧ−１００、及びこれらの混合物が利用されうる。
【０１４１】
これらの乳化剤のうちの１つが使用されうる。
【０１４２】
油中水（Ｗ／Ｏ）エマルジョンに関しては、乳化剤の例として、ポリオール脂肪酸、特にグリセロール又はソルビトール脂肪エステル、特にポリオールイソステアリン酸、オレイン酸、及びリシノール酸エステル、例えばワセリン、オレイン酸ポリグリセリル−３、イソステアリン酸グリセリル、水素化ヒマシ油、及びオゾケライトであってＰｒｏｔｅｇｉｎ  Ｗ（登録商標）の名称でＧｏｌｄｓｃｈｍｉｄｔ社により販売されているもの、イソステアリン酸ソルビタン、ジイソステアリン酸ポリグリセリル、セスキイソステアリン酸ポリグリセリル−２の混合物；多糖エステル及びエーテル、例えば「メチルグルコースジオレエート」；脂肪エステル、例えばラノリン酸マグネシウム；ジメチコンコポリオール及びアルキルジメチコンコポリオール、例えばＤｏｗ  Ｃｏｒｎｉｎｇ  ５２００配合助剤と言う名称でＤｏｗ  Ｃｏｒｎｉｎｇ社により販売されているラウリルメチコンコポリオール、Ａｂｉｌ  ＥＭ  ９０（登録商標）という名称でＧｏｌｄｓｃｈｍｉｄｔ社により販売されているセチルジメチコンコポリオール、及びジメチコンコポリオール；及びこれらの混合物が挙げられうる。
【０１４３】
エマルジョンの油は、植物油、鉱油、シリコーン油、液体エステル、又は直鎖状若しくは分岐状のＣ７〜Ｃ１６炭化水素でありうる。
【０１４４】
水酸化物化合物を含む組成物を施与させる為の条件
１つの好ましい実現例において、工程ａ）の前及び／又は工程ｂ）の後に施与させる場合、水酸化物化合物を含む組成物は、例えば５〜６０分間、好ましくは１０〜２０分間、の期間にわたり、作用させたままである。
【０１４５】
水酸化物化合物を含む組成物を施与させる工程の後、及び任意選択の放置時間後、髪を、好ましくは水を流して及び浸透圧処理された水で、又は更に、アルカリ性残留物を除去する為に酸組成物で、すすぎうる。
【０１４６】
酸組成物
語「酸組成物」は、例えば１以上のカルボン酸、スルホン酸、リン酸、又はリン酸官能基を含む酸から選択される１以上の酸を含む組成物と理解される。
【０１４７】
酸は、その他の化学官能基、特にヒドロキシル又はアミノ官能基、を含みうる。
【０１４８】
酸は、飽和されていてもよく又は不飽和であってもよい。
【０１４９】
使用されることができる酸として、例えば、酢酸、プロパン酸、ブタン酸、乳酸、グリコール酸、アスコルビン酸、マレイン酸、フタル酸、コハク酸、タウリン、及びクエン酸が挙げられうる。
【０１５０】
１つの好ましい酸は、クエン酸である。
【０１５１】
該組成物中に存在する１以上の無機酸は、モノ酸又はポリ酸である酸から選択されうる。
【０１５２】
例えば、塩酸、オルトリン酸、硫酸、及びホウ酸が挙げられうる。
【０１５３】
酸組成物は例えば、２〜７、好ましくは３〜４、のｐＨを有しうる。
【０１５４】
酸化組成物
固定組成物は、酸化組成物である。
【０１５５】
表現「酸化組成物」は、例えば過酸化水素、過酸化尿素、臭素酸アルカリ金属、ポリチオネート、及び過酸基塩、例えば過ホウ酸塩、過炭酸塩、及び過硫酸塩から選択される、例えば１以上の酸化剤を含む組成物を意味すると理解されるべきである。
【０１５６】
酸化剤は好ましくは、過酸化水素である。
【０１５７】
１以上の酸化剤は、酸化組成物の全重量に対して０．１％〜１０％、好ましくは０．５％〜５重量％、の含量で存在しうる。
【０１５８】
好ましくは、酸化剤が、過酸化水素の水性溶液である場合、本発明に従う方法で使用される酸化組成物は、少なくとも１種の安定化剤の、水性過酸化水素溶液を含有する。
【０１５９】
例えば、アルカリ金属又はアルカリ土類金属ピロリン酸塩、例えばピロリン酸四ナトリウム、アルカリ金属又はアルカリ土類金属スズ酸塩、フェナセチン又はオキシキノリン酸塩、例えば硫酸オキシキノリンが挙げられうる。更により有利には、少なくとも１種のスズ酸塩が、少なくとも１種のピロリン酸塩と任意的に組み合わされて利用される。
【０１６０】
水性過酸化水素の１以上の安定化剤は、酸化組成物の全重量に対して０．０００１％〜５％、好ましくは０．０１％〜２重量％、の含量で存在しうる。
【０１６１】
特に酸化剤が過酸化水素である場合、酸化組成物は例えば、１．５〜４．５、好ましくは２〜３．５、のｐＨを有しうる。
【０１６２】
１つの好ましい実現例において、工程ａ）の前及び／又は工程ｂ）の後に施与される場合、上記定義された酸化組成物は、約２〜３０分間、好ましくは２〜１５分間、より好ましくは２〜７分間、作用させたままである。酸化組成物は好ましくは、きれいな濡れた髪に施与される。
【０１６３】
還元及び酸化組成物の担体は好ましくは、水で構成された水性媒体であり、且つ化粧料的に許容される有機溶媒、より詳細にはアルコール、例えばエチルアルコール、イソプロピルアルコール、ベンジルアルコール、及びフェニルエチルアルコール、又はポリオール若しくはポリオールエーテル、例えばエチレングリコールモノメチル、モノエチル若しくはモノブチルエーテル、プロピレングリコール若しくはそのエーテル、例えばプロピレングリコールモノメチルエーテル、ブチレングリコール、ジプロピレングリコール、及びジエチレングリコールアルキルエーテル、例えばジエチレングリコールモノエチルエーテル若しくはモノブチルエーテル、を包含する有機溶媒を有利に含有することができる。次いで、該有機溶媒は、組成物の全重量に対して約０．１％〜２０％、好ましくは約１％〜１０重量％、の濃度で存在しうる。
【０１６４】
本発明に従う方法における酸化組成物のｐＨは、１以上の塩基性化剤、例えば還元組成物で既に述べたもの、又は酸性化剤、例えば塩酸、酢酸、乳酸、ホウ酸、クエン酸、及びリン酸等の何れかを添加することによって、従来通り得ること及び／又は調節することができる。
【０１６５】
本発明に従う方法で使用される組成物の全ては、互いに無関係に、濃厚な又は非濃厚なローション、クリーム、ゲル、又はムースの形をとりうる。
【０１６６】
処理デバイス
その観点のもう１つに従うと、本発明は、特に上記定義された方法を行う為の髪処理デバイスであって、下記：
処理される髪に対して少なくとも１つの捻れ、引張り、又は圧縮拘束を発揮するように特に構成された、少なくとも一房の髪に機械的応力を施与する為の少なくとも１つのデバイス、
機械的応力適用デバイス及び処理されるべき髪の少なくとも一部を受容するように構成されたマイクロ波不透過チャンバー、
チャンバー内に、好ましくは機械的応力適用デバイス内に、配置されたマイクロ波放出アンテナ
を含む上記デバイスに関する。
【０１６７】
上記方法に関して記述された特性の全ては、この処理デバイスに当てはまる。
【０１６８】
すなわち、アンテナは好ましくは、螺旋状である。
【０１６９】
機械的拘束適用デバイスは、幅Ｌにわたって拡がる髪を受容する為の表面を有し、該アンテナは、好ましくはＬ／２よりも大きい又は等しい距離にわたって軸方向に延在する。
【０１７０】
本発明の対象は、前述の内容と無関係な又は組み合わせた、特に上記定義された方法を行う為の髪処理デバイスであって、下記：
少なくとも一房の髪に機械的応力を施与する為のデバイス、好ましくはカーラー、
機械的応力適用デバイス及び処理されるべき髪の少なくとも一部を受容するように構成されたハウジングを有する、マイクロ波不透過チャンバー、
チャンバー内に配置されたマイクロ波放出アンテナ
を含み、
機械的拘束適用デバイスを受容する為の該ハウジングは、機械的拘束適用デバイスの設置及び除去を可能にする開放位置と、チャンバーがマイクロ波不透過であり且つアンテナが機械的拘束適用デバイスに近付くところの閉鎖位置との間で、アンテナに相対的に移動可能なドロワーによって少なくとも部分的に画定される
上記デバイスでもある。
【０１７１】
好ましくは、アンテナ及び機械的拘束適用デバイスは、ドロワーの閉鎖位置において、アンテナが機械的拘束適用デバイス内に係合されるように配置構成されている。
【０１７２】
本発明のこの観点に従うと、マイクロ波放出アンテナは、任意のマイクロ波放出アンテナでありうるが、好ましくは上述の長さ及び形状特性を有する。
【０１７３】
この観点に従うと、本発明は、機械的拘束適用デバイス、特に一房の髪をそこに巻き付けた機械的拘束適用デバイス、の容易な設置且つ除去を許す利点を有する。
【０１７４】
更に、ドロワーの位置の検出は、マイクロ波放出を誘発させる前にチャンバーの正確な閉鎖を検証する為の、単純な手段を提供する。
【０１７５】
ドロワーは、該ドロワーが閉鎖位置にあるときにチャンバーを閉鎖する、アンテナの反対側にある末端壁で生成されることができる。
【０１７６】
好ましくは、ドロワーは、アンテナを収容するケーシングに相対的に、特にケーシングの縦方向に平行な滑り軸に沿って滑る。好ましくはドロワーは、滑り軸の周りで回転運動することなく、ケーシングに相対的に滑る。
【０１７７】
好ましくは滑り軸に平行な方向に沿って延在するスリットは、髪を出すことができるように、閉鎖位置でドロワーとこのケーシングとの間に作製される。
【０１７８】
このスリットは有利には、チャンバーが閉じられたときにマイクロ波不透過性を生成する為に髪にフィットする導電性コーティング、好ましくは可撓性フォーム、によって縁取りがされている。
【０１７９】
その観点のもう１つに従うと、本発明の対象はまた、本発明に従う方法に関して開示されているものとは無関係に又は組み合わせて、特に上記定義された方法を行う為の髪処理デバイスであって、下記：
少なくとも一房の髪に機械的応力を施与する為のデバイス、好ましくはカーラー、と、
機械的応力適用デバイス及び処理されるべき髪の少なくとも一部を受容するように構成されたハウジングを有するケーシングによって、並びにハウジングへのアクセスを与える開放位置と閉鎖位置との間でケーシングに相対的に旋回するカバーによって、少なくとも部分的に画定されたチャンバーと
を含み、マイクロ波放出アンテナはハウジング内に配置されており、ハウジングは、カバーが開けられたときに、ケーシングに相対的に軸方向運動によって機械的拘束適用デバイスの設置及び除去が可能になるように一端で開放されており、並びに機械的拘束適用デバイス及びアンテナは、機械的拘束適用デバイスがハウジング内の所定位置に置かれたときにアンテナが機械的拘束適用デバイス内に挿入されるように配置構成されている
上記デバイスである。
【０１８０】
本発明のこの観点に従うと、該マイクロ波放出アンテナは、任意のマイクロ波放出アンテナでありうるが、それは好ましくは上述の長さ及び形状特性を有する。
【０１８１】
この観点に従うと、本発明は、特に一房の髪をそこに巻き付けた状態で機械的拘束適用デバイスの容易な設置及び除去を可能にする利点を有する。
【０１８２】
更に、該カバーの位置の検出は、マイクロ波放出の誘発前にチャンバーの正確な閉鎖を検証する為の、単純な手段を提供する。
【０１８３】
該カバーは、機械的拘束適用デバイスがそれを介して導入され又は引き出されるハウジングの開口を形成するように、カバーの回転軸に対して横に延在する末端壁で作製されることができる。
【０１８４】
少なくとも１つのカバー及びハウジングには、チャンバーのマイクロ波不透過性を確実にする為に、カバーが閉じたときに髪全体にフィットする導電性コーティングを備えることができる。
【０１８５】
好ましくは、髪出口スリットは、カバーがそれを介してケーシング上に接合されるヒンジの反対側に作製される。カバーの旋回は、導電性コーティングを髪に押圧する為の追加の引締め効果を提供する。
【０１８６】
ケーシング及びカバーは、カバーの上昇が容易になるように、この出口スリットに接する補強材で作製されることができる。
【０１８７】
本発明は、その非限定的な実現例の以下の詳細な記述を読むことから、及び添付図面を参照して、より良く理解されうる。
【図面の簡単な説明】
【０１８８】
【図１】図１は、本発明に従う処理デバイスの実施例の、部分概略図である。
【図２】図２は、開放された手持ち式部品、及び一旦引き出された機械的応力適用デバイスである。
【図３】図３は、閉じられた手持ち式部品である。
【図４】図４は、図３からの手持ち式部品の側面図である。
【図５】図５は、図４のＶ−Ｖに沿った縦断面図である。
【図６】図６は、図５のＶＩ−ＶＩに沿った断面図である。
【図７】図７は、図５のＶＩＩ−ＶＩＩに沿った縦断面図である。
【図８】図８は、チャンバーが閉鎖されたときの、図６に類似した図である。
【図９】図９は、手持ち式部品の実施態様の変形例の、図２に類似した図である。
【図１０】図１０は、閉鎖位置にある、図９の手持ち式部品である。
【図１１】図１１は、拘束適用デバイスが、手持ち式部品の対応するハウジング内で所定位置にある、開放位置にある手持ち式部品の側面図である。
【図１２】図１２は、手持ち式部品の断面である。
【図１３】図１２のＸＩＩＩ−ＸＩＩＩに沿った縦断面図である。
【図１４】図１４は、本発明に従う処理デバイスの変形例の、図１に類似した図である。
【図１５】図１５は、本発明者等の比較試験の結果を表す。
【図１６】図１６は、本発明者等の比較試験の結果を表す。
【発明を実施するための形態】
【０１８９】
図１は、可撓性導波管２を介してマイクロ波発生器を含むベースステーション１に接続された手持ち式部品３を含む、本発明に従う処理デバイス１００を示す。
【０１９０】
可撓性導波管２は、シールドケーブルによって構成されている。
【０１９１】
手持ち式部品３は、図示されるように、少なくとも一房の髪Ｈを処理する目的で人の頭の近傍に配置する為に、使用者によって操作されることが予測される。
【０１９２】
手持ち式部品３は、様々な方法で生成されることができ、且つマイクロ波不透過処理チャンバー４を画定する。
【０１９３】
図２〜図８は、手持ち式部品３の第１の実施態様の例を示す。
【０１９４】
可撓性導波管２は、これらの図上でごく部分的にしか表されていない。
【０１９５】
手持ち式部品３は、ケーシング１０を含み、カバー１１が軸１２を用いてその上に接合されている。
【０１９６】
ケーシング１０は、問題となっている実施例において、カーラー２０により構成された機械的拘束適用デバイスを受容する為のハウジングを画定する。
【０１９７】
上記カーラーは、カーラー２０の長手方向軸Ｘに沿って測定された幅Ｌの、髪Ｈを受容する為の表面を画定する幾つかの分岐２１を含む。
【０１９８】
軸Ｘは、この実施例において、カバー１１の回転軸に平行である。
【０１９９】
問題となっている実施例において、カーラー２０は４つの分岐２１を含み、それらは軸Ｘに向かって僅かに湾曲しており、且つおよそ中間の長さで軸Ｘまで最短距離を通過する。
【０２００】
分岐２１は、好ましくは可能な限り均一に全幅Ｌを占有しつつ、上記房を分岐２１上で拡がるように保持するのを支援する為に軸Ｘに垂直に向けられたリブ２３を有することができる。
【０２０１】
分岐２１は、それらの端部を環状部分２５に接続する。
【０２０２】
カーラー２０は、分岐２１の両端に歯２６を有し、これらは髪を受容する為の表面の範囲を横方向で定める。
【０２０３】
カーラー２０は、任意の誘電材料、好ましくはＰＴＦＥ、で作製されることができる。
【０２０４】
カーラー２０は好ましくは、軸Ｘに垂直な対称性の正中面に相対的に回転の対称形式を有する。
【０２０５】
ケーシング１０は、図示される実施例においてその形状が螺旋形であるアンテナ３０を保持し、その長手方向軸７は、カーラー２０が所定位置にある場合に軸Ｘと一緒になる。
【０２０６】
アンテナ３０は、問題となっている実施例において、誘電材料、例えばシリコーン又はＰＴＦＥ、の管３２内に配置された螺旋金属線で構成されている。
【０２０７】
この管３２の存在は、カーラー２０内へのアンテナの挿入を容易にする。
【０２０８】
ケーシング１０は、カーラー２０が内部に配置されるハウジング６を画定する。
【０２０９】
アンテナ３０は、半円の外形を有するケーシング１０のプレート１４によって、ケーシング１０の軸端で支持される。
【０２１０】
カバー１１は、反対側に類似のプレート１５を有し、ハウジング６の開口５を閉鎖し、それによってカーラー２０は手持ち式部品３内に導入される。
【０２１１】
ハウジング６の内面は、導電性コーティング７によって画定され、それはマイクロ波を反射させることを可能にし、且つチャンバー４をマイクロ波不透過にする。
【０２１２】
カーラー２０は、頭部が拡がったブロック２７を含み、該ブロックは、それらの基部で、対応する環状部分２５に接続し、それは図８に示されるように、コーティング７を押圧し、該カーラーをハウジング６の中心に維持する。
【０２１３】
ブロック２７は例えば、図示されるように、歯２６の間に配置される。
【０２１４】
コーティング７は、プレート１５用のディスク及びプレート１４用のリングの形で、例えばカバー及びケーシング上でカーラーに沿って半円筒の形状である伝導性フォームから形成されることができる。
【０２１５】
ケーシング１０及びカバー１１は、ヒンジの軸１２の反対側で補強材１８の底部に配置された、髪用の出口スリット１９を画定する。
【０２１６】
コーティング７は好ましくは、図８に見られることができるように、髪用のスリット１９内に突出し、髪の通過にも関わらず良好な閉鎖封止をもたらす。
【０２１７】
従って、コーティングの縁部は、スリット１９を閉鎖する為に、図６に示されるように、１７で、カバー本体の縁部及びケーシングの縁部を僅かに超えることができる。
【０２１８】
手持ち式部品３は、図示されていない閉鎖位置にカバーをロックする為の部材と、開放検出器も含む。
【０２１９】
スリット１９の幅Ｗは、Ｌよりも僅かに大きくすることができ、ハウジング６の長さは、カーラー２０の長さに実質的に等しく、従って後者は、ハウジング６内の軸方向及び半径方向の両方で、僅かな遊びの量の範囲内で固定化されるようになる。
【０２２０】
手持ち式部品３を使用する為に、一房の濡れた髪をカーラー２０に巻き付け、次いで後者を、開口５により導入しながら、上記ケーシングに相対的に横方向に移動させることによりケーシング１０内に配置する。次いでカバー１１は再び閉鎖され、髪はスリット１９を介して出て行く。マイクロ波への曝露が行われたら、一房の髪は、逆の順序で操作を行うことによって引き出される。
【０２２１】
次に手持ち式部品３の変形例について、図９〜１３を参照しながら記述する。
【０２２２】
上記手持ち式部品は、ケーシング４０と、ケーシングの長手方向軸に沿って滑ることができるドロワー５０とを含む。
【０２２３】
ケーシング１４は、図１２に示されるように、ドロワー５０の対応するスライド５１に係合される、アーク形状のラグ４１を特に含むことができる。ラグ４１には、端部に肥厚４２を設けることができ、これは対応するウェルに保持され、従ってスライド５１内にラグ４１を保持するようになる。
【０２２４】
ケーシング４０は、アンテナ３０を保持する。
【０２２５】
アンテナ３０の軸は、ドロワー５０の滑り軸に平行である。
【０２２６】
カーラーを受容する為のハウジング６の内面は、上述の実施例におけるように、伝導性コーティング７で覆われる。
【０２２７】
髪用の出口スリット１９は、ケーシング４０とドロワー５０との間に形成され、コーティングは、髪が存在しない状態では、図１２に例示されるように、静止状態になってこのスリットをふさぐようになる。
【０２２８】
端板５４は、ケーシング４０の反対側の端部でハウジング６を閉鎖する。
【０２２９】
手持ち式部品３を使用する為に、房が巻き付けられたカーラーはハウジング６内に導入され、一方、ドロワーは、図９に示されるように開放位置にある。この位置で、ドロワーは、カーラーの設置を損なわないようにアンテナに向かって十分に前進される。
【０２３０】
アンテナ３０の自由端は、ハウジング６内の所定位置のカーラー２０から距離ｍにあり、例えば２〜１０ｍｍにある。
【０２３１】
次いで、ケーシング４０は、ハウジング６を閉鎖するように沿って滑る。この時点で、髪はスリット１９を介して出て行く。
【０２３２】
処理された髪を引き出すには、操作が逆の順序で行われる。
【０２３３】
アンテナ３０の外径は、２２ｍｍのカーラー本体の内径の場合、例えば９．２ｍｍである。
【０２３４】
温度検出器は、処理された房の髪の温度を測定する為に、チャンバー４内に、例えばその内面上に、存在し得、制御システム、例えばマイクロプロセッサーシステム、は、予め定義された閾値よりも高い検出温度の事象で、マイクロ波放出を妨げ又は修正するのを可能にしうる。
【０２３５】
幾つかの手持ち式部品３は、図１４に示されるように、同一の発生器１に接続されうる。
【０２３６】
比較試験：直線的アンテナを持つカーラー、及び螺旋状アンテナを持つカーラー
ガラスで作製された中空誘電体管から形成された中心ストレート部分を含む真っ直ぐなアンテナを持ち、２つの端部が中心部分のどちらかの側に配置されたＰＴＦＥディスクにより形成されたところのカーラーが使用される。
【０２３７】
螺旋状アンテナを持つカーラーは、その取扱い及びそのカーラー内への挿入を容易にする為に、薄いＰＴＦＥグローブフィンガーによって保護された、円筒状ＰＴＦＥ棒に巻き付けられた螺旋形状の金属アンテナを含む。
【０２３８】
【表１】
2020506011.tif 000005
【０２３９】
真っ直ぐなアンテナを持つカーラー及び螺旋状アンテナを持つカーラーに巻き付けられた髪に関する、経時的な温度の上昇は、それぞれ図１５及び図１６に示されている。
【０２４０】
上記真っ直ぐなアンテナの場合、等価電気回路は、芯と壁との間に容量Ｃを有し、且つ容量性結合が存在する。
【０２４１】
入射場は、任意の点で芯の表面に垂直であり、従ってカーラーの壁にも垂直である。
【０２４２】
上記螺旋状アンテナの場合、芯と壁との間に付加される結合があり、即ち、アンテナのループ間の結合である。これは、容量性及び誘導性結合を誘発する。
【０２４３】
場Ｅは、任意の点でアンテナの表面に垂直であり、それ故に、カーラーの壁に対して全ての点で垂直でない。それ故に、場の最大値と、上記房の全体積にわたってより良好に分布された熱源とが一緒になり、それは温度を均一にするのに寄与する。
【０２４４】
アンテナの長さの増大は、アンテナの周りの電場の最大値及び最小値の数を増加させ、その結果、上記房の髪における熱源の数を増加させる。
【０２４５】
更に、上記螺旋状アンテナの場合、下記が観察される：
反射出力（Ｐｒ）における減少、
同一のカーラーに関する、上記真っ直ぐなアンテナと上記螺旋状アンテナとの間での、該カーラーに沿った温度の均質性における改善。
【０２４６】
従って、上記房に沿って多数の熱源を発生させることが可能になる、特に螺旋状の、長さが比較的長いアンテナの利点は、これらの試験からわかる。これらの熱源は、所望の加熱を均一にすることに寄与するように、非常に近くにある。房におけるマイクロ波の伝搬方法は、誘電特性における変化によって影響されない。
【図１】
2020506011.tif 000006
【図２】
2020506011.tif 000007
【図３】
2020506011.tif 000008
【図４】
2020506011.tif 000009
【図５】
2020506011.tif 000010
【図６】
2020506011.tif 000011
【図７】
2020506011.tif 000012
【図８】
2020506011.tif 000013
【図９】
2020506011.tif 000014
【図１０】
2020506011.tif 000015
【図１１】
2020506011.tif 000016
【図１２】
2020506011.tif 000017
【図１３】
2020506011.tif 000018
【図１４】
2020506011.tif 000019
【図１５】
2020506011.tif 000020
【図１６】
2020506011.tif 000021
【国際調査報告】
2020506011.tif 000022
2020506011.tif 000023
2020506011.tif 000024